(57)【要約】【課題】コンピュータに装着したり、コンピュータから取り外したりしたときでも使用することが可能なタッチパネル表示装置を提供する。【解決手段】タッチパネル表示装置は、タッチパネル１６２と、接続溝１４０中にタッチパネル表示装置１６０が挿入されているか否かを検知するセンサと、センサと電気的に接続され、接続溝１４０中にタッチパネル表示装置１６０が挿入されているか否かに基づいて制御信号を生成させるコントローラと、制御信号を基に、タッチパネル１６２の感度を第１の感度または第１の感度よりも低い第２の感度に設定する感度設定器と、を備える。【選択図】図１
2010020744.tif 000002
【特許請求の範囲】
【請求項１】
タッチパネルと、
接続溝中にタッチパネル表示装置が挿入されているか否かを検知するセンサと、
前記センサと電気的に接続され、前記接続溝中に前記タッチパネル表示装置が挿入されているか否かに基づいて制御信号を生成させるコントローラと、
前記制御信号を基に、前記タッチパネルの感度を第１の感度または該第１の感度よりも低い第２の感度に設定する感度設定器と、を備えることを特徴とするタッチパネル表示装置。
【請求項２】
前記コントローラは、
前記接続溝中に前記タッチパネル表示装置が挿入されているときに挿入信号を生成させる挿入信号発生器と、
前記接続溝中に前記タッチパネル表示装置が挿入されていないときに分離信号を生成させる分離信号発生器と、を備えることを特徴とする請求項１に記載のタッチパネル表示装置。
【請求項３】
前記感度設定器は、
前記挿入信号を受信したときに、前記タッチパネルの感度を前記第１の感度に設定する挿入設定器と、
前記分離信号を受信したときに、前記タッチパネルの感度を前記第２の感度に設定する分離設定器と、を備えることを特徴とする請求項２に記載のタッチパネル表示装置。
【請求項４】
接続溝中にタッチパネルが挿入されているか否かを検知するステップと、
前記接続溝中に前記タッチパネルが挿入されていないときに、前記タッチパネルの感度を第１の感度に設定するステップと、
前記接続溝中に前記タッチパネルが挿入されているときに、前記タッチパネルの感度を前記第１の感度よりも高い第２の感度に設定するステップと、を含むことを特徴とするタッチパネルの感度設定方法。
【請求項５】
本体と、該本体に配置された接続溝と、タッチパネル表示装置と、を備えた電子装置であって、
前記タッチパネル表示装置は、
タッチパネルと、
前記接続溝中に前記タッチパネル表示装置が挿入されているか否かを検知するセンサと、
前記センサと電気的に接続され、前記接続溝中に前記タッチパネル表示装置が挿入されるときに挿入信号を生成するコントローラと、
前記挿入信号を受信したときに、前記タッチパネルの感度を上げる感度設定器とを有することを特徴とする電子装置。
【発明の詳細な説明】
【技術分野】
【０００１】
本発明は表示装置に関し、特に、タッチパネル表示装置に関する。
【背景技術】
【０００２】
科学技術の発展にともない、コンピュータは、スクリーンを備える第２装置を有するものが多くなってきた。そして、この第２装置は、コンピュータ本体がオフ状態のときでもコンピュータ本体の情報を利用するために用いられていた。この第２装置のほとんどにはタッチパネルが使用されている。また、第２装置を分離式（コンピュータ本体から取り出すことが可能）に設計した場合、このタッチパネルは操作が便利であり、通常、この第２装置のタッチパネル部分はコンピュータ本体上で直接露出されている。しかし、第２装置を取り出して使用した場合、もともとタッチパネルが露出されていた箇所が凹部となって露出される。さらに、この第２装置をハウジングを覆うように装着したり、コンピュータの本体内部に配置したりすると、第２装置の操作が困難となることがあった。
【発明の開示】
【発明が解決しようとする課題】
【０００３】
そのため、コンピュータに装着したり、コンピュータから取り外したりしたときでも使用することが可能なタッチパネル表示装置が求められていた。
【０００４】
本発明の目的は、コンピュータに装着したり、コンピュータから取り外したりしたときでも使用することが可能なタッチパネル表示装置を提供することにある。
【課題を解決するための手段】
【０００５】
（１）  タッチパネルと、接続溝中にタッチパネル表示装置が挿入されているか否かを検知するセンサと、前記センサと電気的に接続され、前記接続溝中に前記タッチパネル表示装置が挿入されているか否かに基づいて制御信号を生成させるコントローラと、前記制御信号を基に、前記タッチパネルの感度を第１の感度または該第１の感度よりも低い第２の感度に設定する感度設定器と、を備えることを特徴とするタッチパネル表示装置を提供する。
【０００６】
（２）  前記コントローラは、前記接続溝中に前記タッチパネル表示装置が挿入されているときに挿入信号を生成させる挿入信号発生器と、前記接続溝中に前記タッチパネル表示装置が挿入されていないときに分離信号を生成させる分離信号発生器と、を備えることを特徴とする（１）に記載のタッチパネル表示装置を提供する。
【０００７】
（３）  前記感度設定器は、前記挿入信号を受信したときに、前記タッチパネルの感度を前記第１の感度に設定する挿入設定器と、前記分離信号を受信したときに、前記タッチパネルの感度を前記第２の感度に設定する分離設定器と、を備えることを特徴とする（２）に記載のタッチパネル表示装置を提供する。
【０００８】
（４）  接続溝中にタッチパネルが挿入されているか否かを検知するステップと、前記接続溝中に前記タッチパネルが挿入されていないときに、前記タッチパネルの感度を第１の感度に設定するステップと、前記接続溝中に前記タッチパネルが挿入されているときに、前記タッチパネルの感度を前記第１の感度よりも高い第２の感度に設定するステップと、を含むことを特徴とするタッチパネルの感度設定方法を提供する。
【０００９】
（５）  本体と、該本体に配置された接続溝と、タッチパネル表示装置と、を備えた電子装置であって、前記タッチパネル表示装置は、タッチパネルと、前記接続溝中に前記タッチパネル表示装置が挿入されているか否かを検知するセンサと、前記センサと電気的に接続され、前記接続溝中に前記タッチパネル表示装置が挿入されるときに挿入信号を生成するコントローラと、前記挿入信号を受信したときに、前記タッチパネルの感度を上げる感度設定器とを有することを特徴とする電子装置を提供する。
【発明の効果】
【００１０】
本発明のタッチパネル表示装置は、コンピュータに装着したり、コンピュータから取り外したりしたときでも使用することができる。
【発明を実施するための最良の形態】
【００１１】
以下、本発明の実施形態について図に基づいて説明する。なお、これによって本発明が限定されるものではない。
【００１２】
本発明は、本体にタッチパネル表示装置を挿入した後でも、タッチパネルが依然として正常にタッチパネル操作を検知することができるように、その挿入状態に基づいて、タッチパネル表示装置のタッチパネル感度を調整することができる。例えば、このタッチパネル表示装置のタッチパネルが容量式タッチパネルであるとき、タッチパネルの感度は、人体の静電気が検知可能なレベルである。言い換えると、タッチパネルの感度が高い場合、タッチパネルは微弱な人体の静電気を検知することができる。
【００１３】
図１を参照する。図１は、本発明の一実施形態による電子装置を示す斜視図である。図２は、図１のタッチパネル表示装置１６０を示すブロック図である。図１に示すように、電子装置は、本体１２０、接続溝１４０およびタッチパネル表示装置１６０を含む。接続溝１４０は、本体１２０に配置される。図１および図２に示すように、タッチパネル表示装置１６０は、コントローラ１６１、タッチパネル１６２、センサ１６４および感度設定器１６６を含む。コントローラ１６１は、センサ１６４と電気的に接続される。センサ１６４は、接続溝１４０中にタッチパネル表示装置１６０が挿入されているか否かを検知するために用いる。コントローラ１６１は、タッチパネル表示装置が接続溝中に挿入されると挿入信号を生成する。例えば、コントローラ１６１は、マイクロプロセスユニット（Ｍｉｃｒｏｎ  Ｐｒｏｃｅｓｓ  Ｕｎｉｔ）でもよく、このコントローラ１６１が生成する挿入信号はＩ２Ｃ言語を利用したコマンドでもよい。接続溝１４０にタッチパネル表示装置１６０が挿入されると、タッチパネル１６２が接続溝１４０中で被覆されるため、接続溝１４０を介してユーザからタッチパネル１６２に伝送される静電気は、タッチパネル表示装置に直接接触する静電気よりも低い。そのため、感度設定器１６６を用い、挿入信号を受信したときに、タッチパネル１６２の感度を高める。感度設定器１６６は、義隆電子（ＥＬＡＮ  ＭＩＣＲＯＥＬＥＣＴＲＯＮＩＣＳ  ＣＯＲＰ．）のｅＫＴ１００９またはタッチパネル１６２の感度を制御することが可能なその他の制御チップでもよい。このように、感度設定器１６６を用いてタッチパネル１６２の感度を上げた場合、本体１２０にタッチパネル表示装置１６０を挿入した後でも、正常にタッチパネル操作を検知することが可能となる。
【００１４】
別の角度から見た場合、コントローラ１６１は、接続溝１４０にタッチパネル表示装置１６０が挿入されているか否かに基づき、感度設定器１６６を用いてタッチパネル１６２の感度を調整して設定する。そのため、コントローラ１６１は、挿入信号発生器１１１および分離信号発生器１１２を含んでもよい。挿入信号発生器１１１は、接続溝１４０にタッチパネル表示装置１６０が挿入されたときに挿入信号を生成する。分離信号発生器１１２は、接続溝１４０にタッチパネル表示装置１６０が挿入されていないときに分離信号を生成する。感度設定器１６６は、挿入設定器１６５および分離設定器１６７を含んでもよい。挿入設定器１６５は、挿入信号を受信すると、タッチパネル１６２の感度を第１の感度に設定する。分離設定器１６７は、分離信号を受信すると、タッチパネル１６２の感度を第２の感度に設定する。第２の感度は、第１の感度よりも低く、接続溝１４０中にタッチパネル表示装置１６０が挿入されるときに高い感度を有する。
【００１５】
図３は、図１のタッチパネル表示装置１６０を本体１２０に挿入したときの状態を示す斜視図である。図３に示すように、この電子装置は透明面１３０を含んでもよい。透明面１３０は、本体１２０に設置され、接続溝１４０中にタッチパネル表示装置１６０が挿入されたときに、透明面１３０を介してタッチパネル１６２を見ることができる。透明面１３０は、非金属の透明材料からなり、この透明面１３０を介してユーザはタッチパネル１６２のタッチパネル操作を行う。しかし、透明面１３０を介して操作を行う場合、タッチパネル１６２のタッチパネル操作の感度が低下することがあった。そのため、図２および図３に示すように、センサ１６４により接続溝１４０中にタッチパネル表示装置１６０が挿入されたことを検知したときに、感度設定器１６６により、タッチパネル１６２の感度を上げる。そのため、接続溝１４０中にタッチパネル表示装置１６０が挿入されると、タッチパネル１６２は高い感度を有する。これにより、タッチパネル１６２は、透明面１３０を介してタッチパネル操作を行っても正常に検知することが可能となる。
【００１６】
以下、タッチパネル表示装置１６０を接続溝１４０に挿入するときの応用例を説明する。図１および図２に示すように、タッチパネル表示装置１６０は、２次電池１６８および充電モジュール１６９を含んでもよい。２次電池１６８は、タッチパネル表示装置１６０に必要な電力を供給する。接続溝１４０にタッチパネル表示装置１６０が挿入されると、充電モジュール１６９は、２次電池１６８を充電する。
【００１７】
さらに詳細には、図２のセンサ１６４は、複数の方法で実施することができ、図４は、図２のセンサ１６４の一実施例を示す。このセンサ１６４は、タッチパネル表示装置１６０に配置されたコンタクトスイッチであり、接続溝１４０にはピン１５０が配置されている。このように、接続溝１４０中にタッチパネル表示装置１６０が挿入されると、ピン１５０がセンサ１６４に接触し、接続溝１４０中にタッチパネル表示装置１６０が挿入されているか否かをセンサ１６４により判断する。
【００１８】
図５は、図２のセンサ１６４のもう一つの実施例を示す。このセンサ１６４は、タッチパネル表示装置１６０に配置された磁気センサであり、接続溝１４０中に磁石１７０が配置されている。センサ１６４は、磁気状態を基に接続溝１４０中に挿入されるているか否かを判断するために用いる。さらに詳細には、接続溝１４０中にタッチパネル表示装置１６０が挿入されると、センサ１６４が磁石１７０による磁気状態の変化を検知し、接続溝１４０中にタッチパネル表示装置１６０が挿入されていることを判断する。
【００１９】
図６は、図２のセンサ１６４のさらにもう一つの実施例を示す。センサ１６４は、タッチパネル表示装置１６０に配置されたフォトインタラプタであり、接続溝１４０中には遮光壁１９０が配置されている。このセンサ１６４は、光の遮断状態を基に、接続溝１４０中にタッチパネル表示装置１６０が挿入されるているか否かを判断する。さらに詳細には、接続溝１４０中にタッチパネル表示装置１６０が挿入されると、遮光壁１９０によりセンサ１６４に照射される光線を遮断し、接続溝１４０中にタッチパネル表示装置１６０が挿入されているか否かをセンサ１６４により判断する。
【００２０】
図７を参照する。図７は、本発明の一実施形態によるタッチパネル表示装置の感度の設定方法を示す流れ図である。このタッチパネル表示装置の感度の設定方法は、タッチパネル表示装置を異なる感度に設定させることにより、タッチパネルが接続溝に挿入されるか否かに関わらず、そのタッチパネル操作の検知には悪影響を与えない。図７に示すように、このタッチパネル表示装置の感度の設定方法には、以下のステップが含まれる（本発明の実施形態で述べるステップの順序は、特に説明がない限り、必要に応じて変えることが可能であり、複数のステップを同時に行ったりステップの一部を同時に行ったりしてもよい）。
【００２１】
（１）タッチパネル表示装置が接続溝中に挿入されているか否かを検知する（ステップ３０２）。
（２）タッチパネル表示装置が接続溝中に挿入されていないときに、タッチパネル表示装置の感度を第１の感度に設定する（ステップ３０４）。
（３）タッチパネル表示装置が接続溝中に挿入されているときに、タッチパネル表示装置の感度を第２の感度に設定する（ステップ３０６）。
【００２２】
第２の感度が第１の感度よりも高く設定されているため、このタッチパネル表示装置が接続溝中に挿入されているときの感度が高く、接続溝に挿入されてもタッチパネル操作に悪影響を与えない。
【００２３】
当該分野の技術を熟知するものが理解できるように、本発明の好適な実施形態を前述の通り開示したが、これらは決して本発明を限定するものではない。本発明の主旨と領域を脱しない範囲内で各種の変更や修正を加えることができる。従って、本発明の特許請求の範囲は、このような変更や修正を含めて広く解釈されるべきである。
【図面の簡単な説明】
【００２４】
【図１】本発明の一実施形態による電子装置を示す斜視図である。
【図２】図１のタッチパネル表示装置を示すブロック図である。
【図３】図１のタッチパネル表示装置を本体に挿入したときの状態を示す斜視図である。
【図４】図２のセンサの一実施例を示す斜視図である。
【図５】図２のセンサのもう一つの実施例を示す斜視図である。
【図６】図２のセンサのさらにもう一つの実施例を示す斜視図である。
【図７】本発明の一実施形態によるタッチパネル表示装置の感度を設定する方法を示す流れ図である。
【符号の説明】
【００２５】
１１１  挿入信号発生器
１１２  分離信号発生器
１２０  本体
１３０  透明面
１４０  接続溝
１５０  ピン
１６０  タッチパネル表示装置
１６１  コントローラ
１６２  タッチパネル
１６４  センサ
１６５  挿入設定器
１６６  感度設定器
１６７  分離設定器
１６８  ２次電池
１６９  充電モジュール
１７０  磁石
１９０  遮光壁
【図１】
2010020744.tif 000003
【図２】
2010020744.tif 000004
【図３】
2010020744.tif 000005
【図４】
2010020744.tif 000006
【図５】
2010020744.tif 000007
【図６】
2010020744.tif 000008
【図７】
2010020744.tif 000009